(57)【要約】この発明は、包括的には、壁透過撮像に関し、より詳細には、圧縮検知及びＭＩＭＯアンテナアレイを用いて、壁背後のシーンを再構成することに関する。この発明の方法は、壁を通してシーンの中に信号を送信することによって、壁背後のシーンを再構成する。反射信号から壁のパラメーターが推定される。それらのパラメーターを用いて壁の誘電率のモデルが生成され、その後、モデル及びスパース再生を用いて、反射信号から画像としてシーンが再構成される。
2016535243.tif 000002
【特許請求の範囲】
【請求項１】
壁背後のシーンを再構成するための方法であって、
前記壁を通して前記シーンの中に信号を送信することと、
反射信号から前記壁のパラメーターを推定することと、
前記パラメーターを用いて前記壁の誘電率のモデルを生成することと、
前記モデル及びスパース再生を用いて、前記反射信号から、前記シーンを画像として再構成することと、
を含み、各ステップはプロセッサにおいて実行される、方法。
【請求項２】
前記信号は、多入力多出力(ＭＩＭＯ)アンテナアレイによって送信及び受信される、請求項１に記載の方法。
【請求項３】
前記アレイのアンテナ素子の平均素子間間隔は不均一であり、前記送信信号の半波長よりはるかに大きい、請求項２に記載の方法。
【請求項４】
前記アレイは互いに素なアレイである、請求項２に記載の方法。
【請求項５】
前記アレイは入れ子アレイである、請求項２に記載の方法。
【請求項６】
前記アレイはランダムアレイである、請求項２に記載の方法。
【請求項７】
前記パラメーターは、前記壁内の全ての層に関する誘電率及び厚さを含む、請求項１に記載の方法。
【請求項８】
前記パラメーターは、受信信号の被測定到達時刻(ＴＯＡ)と予測されるＴＯＡとの間の平均二乗誤差を最小化することによって得られる、請求項１に記載の方法。
【請求項９】
前記スパース再生は、貪欲スパース再生法を用いる、請求項１に記載の方法。
【請求項１０】
前記貪欲スパース再生法は、反復ハードしきい値法アルゴリズム(ＩＨＴ)を用いる、請求項９に記載の方法。
【請求項１１】
前記貪欲スパース再生法は、各反復時にステップサイズ選択を適応させることによって加速される、請求項９に記載の方法。
【請求項１２】
前記スパース再生法は凸スパース近似法を用いる、請求項１に記載の方法。
【請求項１３】
前記凸スパース近似法は、各反復時にステップサイズ選択を適応させることによって加速される、請求項１２に記載の方法。
【請求項１４】
壁背後のシーンを再構成するためのシステムであって、
前記壁を通して前記シーンの中に信号を送信するように構成されるアンテナアレイと、
反射信号から前記壁のパラメーターを推定し、前記パラメーターを用いて前記壁の誘電率のモデルを生成し、前記モデル、スパース再生及び圧縮検知を用いて、前記反射信号から前記シーンを画像として再構成するように構成されるプロセッサと、
を備える、システム。
【発明の詳細な説明】
【技術分野】
【０００１】
この発明は、包括的には、壁透過撮像(Through-the-wall-imaging：スルーザウォール撮像)に関し、より詳細には、圧縮検知及びＭＩＭＯアンテナアレイを用いて、壁背後のシーンを再構成することに関する。
【背景技術】
【０００２】
壁透過撮像
壁透過撮像(ＴＷＩ)を用いて、包囲された構造物内部の物体を外部から検出することができる。ＴＷＩでは、送信機が電磁(ＥＭ)レーダーパルスを発し、パルスは壁を通って伝搬する。パルスは、壁の逆側で物体によって反射され、次に、発せられたパルスが重畳されたインパルス応答として受信機に戻って伝搬する。通常、送信機及び受信機はアンテナアレイを用いる。
【０００３】
受信信号は、壁の誘電率及び透磁率にもよるが、多くの場合、壁からの間接的な二次反射で破損し、この二次反射の結果、ノイズとして現れる画像内のゴーストアーチファクトが生じる。壁クラッター低減(wall clutter reduction：壁クラッター抑圧)技法は、ＴＷＩでのマルチパス反射から生じるアーチファクトをなくそうとする。
【０００４】
圧縮検知
スパースなアンダーサンプリング処理によるレーダーアレイシステムは、圧縮検知(ＣＳ：compressive sensing)並びに他のサブナイキストサンプリング方法及び捕捉方法を用いることができる。そのアンテナアレイは、従来のアンテナ構造に比べて著しく少ないアレイ素子を用いてレーダー信号を捕捉及び撮像できるようにし、それにより、アレイ実現コストを著しく削減する。
【０００５】
スパースアレイは、アレイ処理のためのナイキスト間隔である、送信信号の半波長よりはるかに長い平均素子間間隔を有する。これは、グレーティングローブとして知られる根本的に解決不可能な曖昧性を排除する不均一な素子間隔を用いて達成される。
【０００６】
捕捉された画像を再生するために従来の方法が用いられてきたが、従来の方法は、それらのアレイによって示されるサイドローブが増えるという難点がある。しかしながら、スパース再生方法はサイドローブに対してロバストであるので、著しく少ない数のアレイ素子を用いて撮像できるようになる。本明細書において用いられるときに、「スパース性」は相対的な用語ではなく、むしろ、大部分が０値であり、ごく少数の非０値を有するデータを指すために用いられる専門用語である。
【０００７】
２０１３年７月２２日にMansourによって出願された「Method and System for Through-the-Wall Imaging using Sparse Inversion for Blind Multi-Path Elimination」と題する米国特許出願第１３／９４７，４２６号では、壁を通してパルスを送信することによって、壁背後のシーン内のターゲットが検出される。反射パルスに対応する受信信号に適用されるスパースな正規化最小二乗反転によって、一次インパルス応答が検出される。一次インパルス応答を受信信号内の類似のインパルス応答に一致させる遅延演算子も求められる。パルスが壁を通り抜けた後に、ターゲットによって反射される前のパルスの歪みも求めることができる。その歪みは、ターゲットの検出を改善し、ゴースティングアーティファクトを抑圧するために、反復プロセスにおいて用いられる。
【発明の概要】
【発明が解決しようとする課題】
【０００８】
圧縮検知(ＣＳ)及びスパースアレイ処理が、レーダー撮像システムを改善する新たな手法を提供する。
【課題を解決するための手段】
【０００９】
この発明の実施の形態は、壁透過撮像(ＴＷＩ)のコストを著しく削減し、その複雑さを大幅に緩和する多入力多出力(ＭＩＭＯ)レーダーアレイを使用する。
【００１０】
それらの実施の形態は、層状の無損失壁の存在時に、入れ子アレイ、互いに素なアレイ(co-prime array)及びランダムアレイを検討する。壁パラメーターを考慮に入れるスパース再構成問題と併せて壁パラメーター推定問題を定式化し、解くことによって、シーン再構成が実行される。
【００１１】
ＭＩＭＯアーキテクチャは、波形ダイバーシティに起因して低減されたアレイ利得を示し、より精細な空間分解能、より高い自由度、パラメーター識別可能性及びマルチパス除去に関して改善された性能を提供する。
【００１２】
本方法の説明は、撮像されるシーンがスパースであると仮定して、点広がり関数(ＰＳＦ)の特性を検討することによって、種々のスパースアレイアーキテクチャの撮像性能及び壁プロファイルをメインローブ及びサイドローブ構造の観点から解析する。ＰＳＦは、ビームパターンとしても知られており、スパース再生及び圧縮検知との関連において相互コヒーレンスに密接に関連付けられる。ＰＳＦの特徴は、スパース再構成の場合にいずれもアレイ性能に関して非常に良好な直観を与える。
【００１３】
そのアーキテクチャの増加したサードローブレベルが、従来の撮像方法の性能を低下させるので、対象となるシーンのスパース性を利用するために、スパース再構成が用いられる。一実施の形態では、反復ハードしきい値法(ＩＨＴ：iterative hard thresholding)を適用する。ＩＨＴは、壁背後の反射率マップを推定する、貪欲法に基づくスパース信号再生法である。
【００１４】
さらに、それらの実施の形態は、受信データから、壁プロファイルのパラメーターを推定する方法を提供する。そのプロファイルは、壁の誘電率及び透磁率、並びに厚さを含む。これらのパラメーターは、この発明の再構成法のための撮像演算子を開発するために用いられる。
【図面の簡単な説明】
【００１５】
【図１Ａ】この発明の一実施の形態による、壁背後のシーンを再構成するためのシステム及び方法の概略図である。
【図１Ｂ】この発明の一実施の形態による、壁背後のシーンを再構成するためのシステム及び方法の概略図である。
【図１Ｃ】この発明の実施の形態によって考慮される、壁に起因する間接的な二次反射の概略図である。
【図２】この発明の実施の形態による、壁背後のシーンを再構成するためのシステム及び方法のブロック図である。
【図３Ａ】この発明の実施の形態による、一対の素数によって規定される互いに素のアレイの概略図である。
【図３Ｂ】この発明の実施の形態による、図３Ａの互いに素のアレイの場合のＭＩＭＯアレイビームパターンの概略図である。
【図４Ａ】この発明の実施の形態による、２つの均一な線形アレイも含む入れ子アレイの概略図である。
【図４Ｂ】この発明の実施の形態による、図４Ａの入れ子アレイの場合のＭＩＭＯアレイビームパターンの概略図である。
【発明を実施するための形態】
【００１６】
システム設定
図１Ａ及び図１Ｂに示されるように、この発明の実施の形態は、シーン形状のいかなる予備知識も必要としない、物体５０の壁透過撮像(ＴＷＩ)のための方法及びシステムを提供する。その方法は、壁４０の背後のシーン６０を再構成することができる。
【００１７】
そのシステムは、多入力多出力(ＭＩＭＯ)アンテナアレイ１０と、送受信機２０と、プロセッサ３０とを含む。アンテナは、複数の素子１１を備える。従来技術では、素子の間隔は通常均一であり、送信信号の半波長に等しい。この発明の幾つかの実施の形態では、アンテナ素子の平均素子間間隔は不均一であり、送信信号の半波長よりはるかに大きい。
【００１８】
送受信機は、アンテナアレイのアンテナ素子１１のうちの幾つか又は全てを用いて、１つ又は複数のパルス１４を送信する。送信されたパルスは壁４０を通って伝搬し、壁４０の背後のシーン６０内の存在し得る物体５０によって反射される。各パルスに対応する反射信号(インパルス応答)１２は、後に説明されるように、アレイ１０の素子によって受信される。受信信号は、直接パスを介して受信された一次反射と、マルチパスによって受信された二次反射とを含む。幾つかの実施の形態では、アンテナ素子は、パルスを送信するためにのみ、又はパルスを受信するためにのみ、又はパルスの送信及び受信の両方のために用いることができることに留意されたい。
【００１９】
受信信号１２は、物体５０を含むシーン６０を再構成する画像７０を生成するために、方法２００によって処理される。その方法は、当該技術分野において既知であるように、バスを用いてメモリ及び入力／出力インターフェースに接続されるプロセッサ３０において実行することができる。
【００２０】
図１Ｃに示されるように、特に関心があるのは、再構成を混乱させる可能性がある、壁に起因する間接的な二次反射８０である。それゆえ、最初に、壁のパラメーターを推定し、そのパラメーターを用いて、そのシーンが壁を通っていかに反射されるかのモデルを構築する。その後、そのモデルを用いて、そのシーンのスパース再生を行う。
【００２１】
シーン再構成
図２に示されるように、壁４０の背後のシーン６０は、壁を通してシーンの中に信号１４を送信し、反射信号１２から、壁の誘電率及び透磁率のパラメーターを推定すること(２１０)によって画像７０として再構成される。壁のモデル２００が、それらのパラメーターを用いて生成される(２２０)。その後、そのモデル、スパース再生及び圧縮検知２３０を用いて、反射信号からシーンが再構成される。
【００２２】
ＴＷＩ信号モデル
ＭＩＭＯレーダーアレイ１０が原点１３に位置し、壁４０からのｄ０のスタンドオフ距離にある２Ｄ撮像シナリオを仮定する。Ｍｔ個の送信機(Ｔｘ)素子及びＭｒ個の受信機(Ｒｘ)素子の位置はそれぞれ、ｔｉ、ｉ＝１，…，Ｍｔ、及びｒｉ、ｉ＝１，…，Ｍｒである。
【００２３】
点ターゲット近似を用いて、直接壁反射及び付加観測雑音の影響を除く受信散乱場は、周波数領域において以下のように書くことができる。
【００２４】
【数１】
2016535243.tif 000003
【００２５】
式(１)において、ｗ(ω)は、送信レーダー波形の周波数シグネチャを表し、ｓ(ｐ)は、ｐ(ｘ，ｙ)に位置する対象物体の反射率を表し、Ｓは、撮像される領域６０を表す。関数ｇ(ｐ１，ｐ２，ω)は、ｐ１からｐ２までの層状媒質のためのグリーン関数を表し、このグリーン関数は、壁の厚さｄ及び比誘電率εの関数である。グリーン関数は、指定された初期条件又は境界条件の場合に、或る定義域において定義される非同次微分方程式のインパルス応答である。
【００２６】
システムを離散化するために、Ｐ個の点からなる格子を用いて領域Ｓを分割し、
【００２７】
【数２】
2016535243.tif 000004
【００２８】
を用いてマップの複素反射率を表す。各Ｒｘ素子において、Ｎ個の周波数サンプルが得られる場合には、式(１)を離散化したバージョンは、
【００２９】
【数３】
2016535243.tif 000005
【００３０】
である。ただし、
【００３１】
【数４】
2016535243.tif 000006
【００３２】
であり、ここで、
【００３３】
【数５】
2016535243.tif 000007
【００３４】
である。行列Φは、アレイ多様体行列とも呼ばれる。
【００３５】
スパースアレイ設計
スパースアレイアーキテクチャ
実施の形態においてスパースアレイ設計は、それぞれＭｒ個及びＭｔ個の等間隔に離間された存在し得るＴｘアレイ素子及びＲｘアレイ素子からなる概念的な格子から開始する。この格子は、互いに素、入れ子又はランダムの各アーキテクチャに従ってサブサンプリングされ、実際のＴｘアンテナ素子又はＲｘアンテナ素子を含むように、数個の格子点のみが選択される。
【００３６】
図３Ａに示されるように、互いに素なアレイが、Ｔｘアレイ及びＲｘアレイの場合にそれぞれ、一対の素数(チルダ)Ｍｔおよび(チルダ)Ｍｒによって規定される。Ｔｘアレイは、(チルダ)Ｍｒ格子単位の素子間間隔で(チルダ)Ｍｔ個の素子を含み、一方、Ｒｘアレイは、(チルダ)Ｍｔ格子単位の素子間間隔で(チルダ)Ｍｒ個の素子を含む。
【００３７】
図４Ａに示されるように、入れ子アレイも２つの均一な線形アレイ(ＵＬＡ)を含み、ただし、Ｔｘアレイは、１格子単位の素子間間隔で(チルダ)Ｍｔ個の素子を含み、Ｒｘアレイは、(チルダ)Ｍｔ単位の間隔で(チルダ)Ｍｒ個の素子を含む。
【００３８】
同じ開口を有するランダムアレイは、一様分布を用いて各格子から(チルダ)Ｍｔ個のＴｘ素子と、(チルダ)Ｍｒ個のＲｘ素子とをランダムに選択することによって設計される。
【００３９】
ＭＩＭＯ素子の全数(チルダ)Ｍｒ＋(チルダ)Ｍｔを与えられたとすると、自由度(チルダ)Ｍｒ(チルダ)Ｍｔを最大化することによって、最適なＭＩＭＯスパース入れ子アレイを得ることができる。互いに素なアレイの場合、付加的な素数も含まれる。
【００４０】
図３Ｂ及び図４Ｂはそれぞれ、(チルダ)Ｍｒ＝４、(チルダ)Ｍｔ＝５の場合の互いに素なアレイ及び入れ子アレイのためのＭＩＭＯアレイビームパターンの例を示す。図３Ｂ及び図４Ｂは、送信信号のためのビームパターン３０１と、受信信号のためのビームパターン３０２と示し、実線３０３は全生成ビームパターンを示す。
【００４１】
(チルダ)Ｍｒ×(チルダ)Ｍｔ個のスパースＭＩＭＯアレイは、Ｍｒ×Ｍｔ個の最大ＭＩＭＯアレイのサブサンプリングと見なすことができる。これは、サブサンプリング行列
【００４２】
【数６】
2016535243.tif 000008
【００４３】
を用いて表すことができる。最大アレイ及びスパースアレイの多様体行列を表すために、それぞれΦ及び(チルダ)Φを用いるとき、スパースアレイのための捕捉関数(２)は
【００４４】
【数７】
2016535243.tif 000009
【００４５】
のようになる。ただし、(チルダ)ｙはサブサンプリングされた受信データを表す。
【００４６】
アレイ設計特性
アレイ設計の特性を考えるとき、従来のアレイ技法は、アレイの点広がり関数(ＰＳＦ)、すなわち、ビームパターンに焦点を合わせる。適切には正規化されたＰＳＦは、多様体行列の列間の相互コヒーレンスに等価であり、圧縮検知(ＣＳ)捕捉システムにおいて関心がある重要な特性である。２つの列間のコヒーレンスは、列間の正規化された内積と定義される。行列のコヒーレンスは、行列内の全ての要素対の中の内積の最大絶対値と定義される。
【００４７】
【数８】
2016535243.tif 000010
【００４８】
必須ではないが、最悪時のスパース再構成保証を与えるために、低い行列コヒーレンスμ((チルダ)Φ)で十分である。
【００４９】
一方、ＰＳＦによって記述されるコヒーレンス構造
【００５０】
【数９】
2016535243.tif 000011
【００５１】
は、従来の方法下で特に、分解能、雑音及び干渉ロバスト性のような、アレイの性能についてはるかに多くの情報を与え、撮像された領域内の点は、潜在的に再構成曖昧性を引き起こす可能性がある。
【００５２】
考慮する性能指数は、メインローブ面積(ＭＬＡ)及び最大サイドローブレベル(ＭＳＬ)である。ＭＬＡは、ＰＳＦが一定のレベル、通常−３ｄＢより高いシーン内の点の周囲の面積と定義される。ＭＳＬは、ＰＳＦがそのサイドローブにおいて、すなわち、メインローブ外で達する最も高いレベルと定義される。ＭＬＡは、そのシーン内の点の周囲の曖昧性を表すので、アレイの分解能の指標である。ＭＳＬは、その点とシーン内の他の点との最大相互コヒーレンスを測定するので、特定のシーン点の再生可能性の指標である。
【００５３】
シーン再構成
壁プロファイル推定
式(１)のグリーン関数ｇ(ｐ１，ｐ２，ω)を求めるために、壁内の全Ｌ個の層に関する誘電率εｌ及び厚さｄl、ｌ＝１，…，Ｌを求める必要がある。壁の形状及び反射特性はあらかじめわかっていないので、誘電率及び厚さは、受信信号１２から捕捉されたデータから推定される。
【００５４】
Ｔｘアレイ素子及びＲｘアレイ素子間の自己結合を除くとき、全てのＲｘ素子からの受信信号は、壁層ごとのマルチパス６０成分を含む。バイスタティックＴｘ及びＲｘ素子がΔ＝||ｒ−ｔ||だけ離間されるが、壁からの同じスタンドオフ距離ｄ０を共有すると仮定する。スネルの法則を用いるとき、第ｌの層からの反射は、τｌ(Δ)だけ遅れて到達し、すなわち、到達時刻(ＴＯＡ)は、
【００５５】
【数１０】
2016535243.tif 000012
【００５６】
であり、ｒｉは各層内の一方向の移動距離である。
【００５７】
このようにして、θ＝｛ε１，…，εＬ，ｄ１，…，ｄＬ｝を用いてまとめて表される未知の壁パラメーターは、各層からの壁パラメーターを与えられたとすると、各反射の測定ＴＯＡ、τｌ(Δ)、ｌ＝１，…，Ｌと、予測されるＴＯＡ(ハット)τｌ(Δθ)との間の平均二乗誤差を最小化することによって得ることができる。
【００５８】
【数１１】
2016535243.tif 000013
【００５９】
ただし、αｊは各Ｔｘ−Ｒｘ分離に割り当てられる重みであり、(チルダ)Ｍｔ(チルダ)ＭｒはＭＩＭＯレーダーアレイからのＴｘ−Ｒｘ分離の全数である。限られたＲＦ帯域幅、又は低いＳＮＲの応用例の場合、より厳密なＴＯＡ推定値を得るために、超分解能又は適応技法を適用することができる。
【００６０】
スパース画像再生
式(６)において、測定値(チルダ)ｙからシーン反射率(ハット)ｓを再生するために、そのシーンがスパースであり、ＣＳ技法を使用すると仮定する。
【００６１】
具体的には、一実施の形態は、スパース性制約付き最小化問題
【００６２】
【数１２】
2016535243.tif 000014
【００６３】
を解くことができる。ただし、Ｋは、ｓの最大スパース性、すなわち、離散化されたシーン内の反射体の最大数である。一般に、その問題はＮＰ困難であるが、ｌ０ノルムをそのｌ１凸包に緩和することによって、又は貪欲法を用いることによって解くことができる。一実施の形態は、反復ハードしきい値法(ＩＨＴ)を用いることができ、それは、反復ｔにおけるスパース推定値
【００６４】
【数１３】
2016535243.tif 000015
【００６５】
が
【００６６】
【数１４】
2016535243.tif 000016
【００６７】
を用いて推定される反復法である。ただし、ηはステップサイズであり、
【００６８】
【数１５】
2016535243.tif 000017
【００６９】
は、その引数のうちのＫ個の最も大きな大きさ成分のみを保存し、残りの成分を０に設定するハードしきい値演算子である。ＩＨＴは、代替案に比べて計算コストと再生能力との優れたバランスを与えるので、好ましい実施の形態である。また、ＩＨＴは、モデルに基づくＣＳを用いる信号モデルへのより高い適応性も可能にする。ＩＨＴは、各反復時にステップサイズ選択を適応させることによって、更に加速させることができる。他の実施の形態は、マッチング追跡(ＭＰ：matching pursuit)、直交マッチング追跡(ＯＭＰ：orthogonal matching pursuit)、部分空間追跡(ＳＰ：subspace pursuit)、圧縮サンプリングマッチング追跡(ＣｏＳａＭＰ：Compressive Sampling Matching Pursuit)及び近似メッセージ伝搬(ＡＭＰ：approximate message passing)のような他の方法を用いて、式(１２)を解くことができる。例えば、米国特許第７，８３４，７９５号を参照されたい。
【００７０】
別の実施の形態は、
【００７１】
【数１６】
2016535243.tif 000018
【００７２】
を近似しようと試みる凸最適化手法を用いることができる。
【００７３】
上記の実施の形態の場合と同様に、その問題はＮＰ困難であり、ｌ０ノルムをそのｌ１凸包に緩和することによって解くことができる。(１４)を近似するか、又は解く方法は、数ある中でも、以下の定式化のうちの１つを用いることができる。
【００７４】
【数１７】
2016535243.tif 000019
【００７５】
これらの定式化は、数ある中でも、反復ソフトしきい値法アルゴリズム(ＩＳＴＡ：iterative soft thresholding algorithm)、固定点連続法(ＦＰＣ：fixed point continuation)、スパース再構成のための勾配投影法(ＧＰＳＲ：gradient projection for sparse reconstruction)、平滑化近接勾配法(ＳＰＧ：smoothing proximal gradient)のような幾つかの方法を用いて解くことができる。米国特許第７，８３４，７９５号を参照されたい。
【００７６】
アレイ設計の評価
この発明のアンテナ設計の実験的な評価から、以下の結論が得られる。互いに素なアレイは、より大きなＭＩＭＯ実質開口長を与えるので、入れ子アレイより良好なクロスレンジ分解能(ＭＬＡによって測定される)を有する。一方、入れ子アレイは、より低いＭＳＬを示す。ランダムアレイは一般に、互いに素なアレイ及び入れ子アレイに比べて高いＭＳＬを生成する。アレイ形状がＭＳＬに及ぼす影響は、壁が高い比誘電率を有するほど大きく減少する。全体として、ＭＳＬは、比誘電率が増加するにつれて増加する。壁の誘電率が低いほど、複数の反射によって、レンジプロファイルが曖昧になり、結果としてＭＬＡが拡大する可能性がある。壁の誘電率が高いほど、複数の反射によって、より良好なレンジ分解性がもたらされ、ＭＬＡは小さくなるが、ＭＳＬは大きくなる。ｖ)エンドファイアアレイに近い対象点は、空気−壁界面のフレネル反射係数が増加するので、複数の壁から、より深刻な影響を受ける。
【産業上の利用可能性】
【００７７】
この発明の方法及びシステムは、多くの種類の分野に適用可能である。
【図１Ａ】
2016535243.tif 000020
【図１Ｂ】
2016535243.tif 000021
【図１Ｃ】
2016535243.tif 000022
【図２】
2016535243.tif 000023
【図３Ａ】
2016535243.tif 000024
【図３Ｂ】
2016535243.tif 000025
【図４Ａ】
2016535243.tif 000026
【図４Ｂ】
2016535243.tif 000027
【手続補正書】
【提出日】平成28年3月9日(2016.3.9)
【手続補正２】
【補正対象書類名】特許請求の範囲
【補正対象項目名】全文
【補正方法】変更
【補正の内容】
【特許請求の範囲】
【請求項１】
壁背後のシーンを再構成するためのシステムであって、
前記壁を通して前記シーンの中に信号を送信するように構成されるアンテナアレイと、
反射信号から前記壁のパラメーターを推定し、前記パラメーターを用いて前記壁の誘電率のモデルを生成し、前記モデル、スパース再生及び圧縮検知を用いて、前記反射信号から前記シーンを画像として再構成するように構成されるプロセッサと、
を備える、システム。
【請求項２】
前記信号を送信及び受信する多入力多出力(ＭＩＭＯ)アンテナアレイをさらに備えた、請求項１に記載のシステム。
【請求項３】
前記アレイのアンテナ素子の平均素子間間隔は不均一であり、前記送信信号の半波長よりはるかに大きい、請求項２に記載のシステム。
【請求項４】
前記アレイは互いに素なアレイである、請求項２に記載のシステム。
【請求項５】
前記アレイは入れ子アレイである、請求項２に記載のシステム。
【請求項６】
前記アレイはランダムアレイである、請求項２に記載のシステム。
【請求項７】
前記パラメーターは、前記壁内の全ての層に関する誘電率及び厚さを含む、請求項１に記載のシステム。
【請求項８】
前記パラメーターは、受信信号の被測定到達時刻(ＴＯＡ)と予測されるＴＯＡとの間の平均二乗誤差を最小化することによって得られる、請求項１に記載のシステム。
【請求項９】
前記スパース再生は、貪欲スパース再生法を用いる、請求項１に記載のシステム。
【請求項１０】
前記貪欲スパース再生法は、反復ハードしきい値法アルゴリズム(ＩＨＴ)を用いる、請求項９に記載のシステム。
【請求項１１】
前記貪欲スパース再生法は、各反復時にステップサイズ選択を適応させることによって加速される、請求項９に記載のシステム。
【請求項１２】
前記スパース再生法は凸スパース近似法を用いる、請求項１に記載のシステム。
【請求項１３】
前記凸スパース近似法は、各反復時にステップサイズ選択を適応させることによって加速される、請求項１２に記載のシステム。
【国際調査報告】
2016535243.tif 000028
2016535243.tif 000029